(57)【要約】      （修正有）【課題】真空断熱材同士の隙間を覆うシール性が不完全で結露水が生じたとしても、この結露水が床に水滴として垂れて落ちることを防止することができる冷蔵庫を提供する。【解決手段】冷蔵庫は、複数の板材を結合することで結合部が形成され、本体２の内部の真空断熱材が配置されていない箇所の下方には、板材の結合部に生じる結露水Ｗを溜めるための溜め部としての露受け部１００が設けられている。【選択図】図４
2015007499.tif 000002
【特許請求の範囲】
【請求項１】
板材の間に複数の真空断熱材が配置される冷蔵庫であって、
前記真空断熱材と隣接する真空断熱材との間の空間の下方にあって、前記空間に生じた結露水を受ける露受け部が設けられていることを特徴とする冷蔵庫。
【請求項２】
前記真空断熱材と隣接する真空断熱材との間の空間位置は、当該冷蔵庫の角部にあって前記複数の板材を結合することで結合部が形成されていることを特徴とする請求項１に記載の冷蔵庫。
【請求項３】
前記複数の板材で構成されて当該冷蔵庫本体を構成する外箱は、組立式の構造体であることを特徴とする請求項１または２に記載の冷蔵庫。
【請求項４】
前記角部の空間を含める前記本体の壁面の内部には、発泡性の断熱材が配置されていないことを特徴とする請求項２または３に記載の冷蔵庫。
【請求項５】
前記角部の空間には、サクションパイプが配置されていることを特徴とする請求項２ないし４のいずれかに記載の冷蔵庫。
【請求項６】
前記本体を構成する前記外箱の内側にある内箱は、分割体である複数の内板で構成されていることを特徴とする請求項３に記載の冷蔵庫。
【請求項７】
前記角部の空間内は、防露パイプが配置されていることを特徴とする請求項２ないし６のいずれか１項に記載の冷蔵庫。
【請求項８】
前記露受け部は、枠状になっていることを特徴とする請求項１ないし７のいずれか１項に記載の冷蔵庫。
【請求項９】
前記露受け部は、貯水部を有し、前記冷蔵庫のファンは前記貯水部から退避させた位置に配置されていることを特徴とする請求項８に記載の冷蔵庫。
【請求項１０】
前記露受け部と、前記本体の底面部との間には、隙間が設けられていることを特徴とする請求項９に記載の冷蔵庫。
【請求項１１】
前記露受け部の上部に空気を流すことと、前記冷蔵庫に配置されているコンプレッサの冷却のための兼用のファンを備えることを特徴とする請求項１０に記載の冷蔵庫。
【請求項１２】
前記露受け部は、前記コンプレッサを冷却するための空気の吸込口を有していることを特徴とする請求項１１に記載の冷蔵庫。
【請求項１３】
前記露受け部には、熱源が配置されていることを特徴とする請求項１２に記載の冷蔵庫。
【請求項１４】
前記露受け部の上部に空気を流すための専用ファンが冷蔵庫の底部に配置され、コンプレッサは前記冷蔵庫の上部に配置されていることを特徴とする請求項１に記載の冷蔵庫。
【発明の詳細な説明】
【技術分野】
【０００１】
本発明の実施の形態は、冷蔵庫に関する。
【背景技術】
【０００２】
従来、冷蔵庫の断熱には、発泡性の断熱材として発泡ポリウレタンを使用している。しかし、冷蔵庫の筐体では、より高い断熱性能が要求されていることから、発泡ポリウレタンと真空断熱材の両方を用いることがある。冷蔵庫の筐体の基本断熱性能で考えると、真空断熱材の断熱性能は、発泡ポリウレタンの断熱性能のおよそ１０倍ある。このため、特許文献１には、筐体の断熱壁としては、真空断熱材を用いて構成されているものが提案されている。また、ここで、筐体の容積効率を考慮してみると、真空断熱材のみで構成された筐体の断熱壁は、発泡ポリウレタンを用いた断熱壁の厚みよりも薄く作ることができるので、より高い容積効率を有する筐体を得ることができる。
【先行技術文献】
【特許文献】
【０００３】
【特許文献１】特開２０１３−２６５６号
【発明の概要】
【発明が解決しようとする課題】
【０００４】
ところが、上記特許文献１において開示されている技術では、次のような問題がある。
【０００５】
発泡ポリウレタンで構成された筐体の断熱壁では、外箱と内箱との間に発泡ポリウレタンが充填できるので隙間が生じない。しかし、上述した真空断熱材のみで構成された筐体の断熱壁は、真空断熱材同士の突き当て部分や、真空断熱材の端部の突起部分（ヒレ部分）には隙間（空間）ができるために、筐体の外箱のシール性を高くしないと、隙間に結露が発生して、結露により生じる水滴が、家屋の床面に垂れて落ちる可能性がある。
【０００６】
このように、筐体の外箱のシール性を高くしようとするには、独立気泡のシール剤やシリコン等を、真空断熱材同士の突き当て部分の隙間や真空断熱材の端部の突起部分（ヒレ部分）の隙間に詰める作業が必要になる。このため、冷蔵庫の組立作業性が低下するばかりでなく、別途シール性確保の検査を追加して行う必要があることから、冷蔵庫の量産性を損なう要因となる。
【０００７】
本発明は、上記に鑑みてなされたもので、その目的とするところは、真空断熱材同士の隙間を覆うシール性が不完全で結露水が生じたとしても、この結露水が床に水滴として垂れて落ちることを防止することができる冷蔵庫を提供することにある。
【課題を解決するための手段】
【０００８】
本発明の実施の形態の冷蔵庫は、板材の間に複数の真空断熱材が配置される冷蔵庫であって、前記真空断熱材と隣接する真空断熱材との間の空間の下方にあって、前記空間に生じた結露水を受ける露受け部が設けられていることを要旨とする。
【図面の簡単な説明】
【０００９】
【図１】本発明の第１実施形態に係わる冷蔵庫の全体を示す斜視図である。
【図２】図１に示す冷蔵庫の正面図である。
【図３】図１に示す冷蔵庫の右側図である。
【図４】図１に示す冷蔵庫の底面部の構成例を示す分解斜視図である。
【図５】図２に示す冷蔵庫の本体のＲ−Ｒ線における断面図である。
【図６】図４に示す底面部付近の構造例を示す斜視図である。
【図７】図６に示す底面部付近の構造例の分解斜視図である。
【図８】図８（Ａ）は、図６のＤ−Ｄ線における露受け皿等の縦断面図であり、図８（Ｂ）は、図８（Ａ）から真空断熱材の図示を省いた縦断面図である。
【図９】図９（Ａ）は、図７と図８に示す露受け皿の好ましい形状例を示す斜視図であり、図９（Ｂ）と図９（Ｃ）は、露受け皿の別の形状例を示す斜視図である。
【図１０】図２に示す冷蔵庫の本体のＡ−Ａ線における断面図である。
【図１１】図３に示す冷蔵庫の本体のＢ−Ｂ線における断面図である。
【図１２】図３に示す冷蔵庫の本体のＣ−Ｃ線における断面図である。
【図１３】本発明の第２実施形態の冷蔵庫の底面部付近を示す斜視図である。
【図１４】図１３に示す冷蔵庫の底面部付近の分解斜視図である。
【図１５】図１５（Ａ）は、本発明の第２実施形態を示しており、図１３のＥ−Ｅ線における露受け皿等の構成例を示し、図１５（Ｂ）は、図１５（Ａ）の縦断面から一部の真空断熱材等を除いた縦断面図である。
【発明を実施するための形態】
【００１０】
以下、図面を用いて、本発明の実施するための形態（以下、実施形態と称する）を説明する。
【００１１】
（第１実施形態）
図１は、本発明の第１実施形態に係わる冷蔵庫の全体を示す斜視図である。図２は、図１に示す冷蔵庫１の正面図であり、図３は、図１に示す冷蔵庫１の右側面図である。
【００１２】
図１から図３に示す冷蔵庫１は、本体２を有している。この本体２の最上部の位置には、両開き式の左右の観音扉３，４で開閉される冷蔵室５を設けられている。これらの観音扉３，４は、それぞれ本体２の回転軸３Ａ，４Ａを中心にして開閉可能に取り付けられている。
【００１３】
図１と図２に示すように、冷蔵室５の下側には、製氷室７と上部冷凍室８が横方向に並んで配置されている。製氷室７は、引出し式扉７ａで開閉され、上部冷凍室８は、引出し式扉８ａで開閉される。製氷室７と上部冷凍室８の下側には、野菜室９が配置されている。野菜室９は、引出し式扉９ａで開閉される。野菜室９の下側には、冷凍室１０が設けられている。冷凍室１０は、引出し式扉１０ａで開閉される。
【００１４】
図１に示すように、観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。なお、図２と図３において、冷蔵庫１の前後方向をＸ方向で表し、左右方向をＹ方向で表している。
【００１５】
図４は、図１に示す冷蔵庫１の底面部２０の構成例を示す分解斜視図である。
【００１６】
図４に示すように、冷蔵庫１の底面部２０には、コンプレッサファン２１と、コンプレッサ２２が配置されている。露受け部１００は、コンプレッサファン２１と、コンプレッサ２２の下側に配置されている。この露受け部１００は、コンプレッサ台９９により、底面部２０側に固定されている。その他、２つの前足部９８が、底面部２０に取り付けられている。
【００１７】
図４に示す冷蔵庫１は、コンプレッサ２２が本体２の上部に配置されているのではなく、底面部２０側に配置されているボトムコンプレッサタイプの冷蔵庫である。露受け部１００の構造例は、後で説明するが、例えばほぼ平板状のプラスチック部材であり、露受け部１００は例えば「日」字状に形成された枠状の部材である。なお、図４では、本体２において案内される結露水Ｗの流れの例を破線で示し、露受け部１００における結露水Ｗの流れの例を破線で示している。
【００１８】
図５は、図２に示す冷蔵庫１の本体２のＲ−Ｒ線における断面図である。
【００１９】
図１から図３に示す冷蔵庫１の本体２は、筐体ともいい、本体２は、左右の側面部２Ａ，２Ｂ，上面部２Ｃ、底面部２０と、背面部２Ｄを有している。図５に単純化して例示するように、この本体２は、組み立て式の外箱３０と、組み立て式の内箱４０と、この外箱３０と内箱４０の間に配置された断熱壁である複数枚の板状の真空断熱材５０を有している。
【００２０】
組み立て式の外箱３０は、複数の金属、例えば鉄製の板材３１，３２，３３を箱型に組み立てるにより形成されている。組み立て式の内箱４０は、複数のプラスチック製の板材４１，４２，４３を箱型に組み立てることにより形成されている。冷蔵庫１の筐体の基本断熱性能で考えると、真空断熱材５０の断熱性能は、発泡ポリウレタンの断熱性能のおよそ１０倍有している。
【００２１】
図６は、図４に示す底面部２０付近の構造例を示す斜視図である。図７は、図６に示す底面部２０付近の構造例の分解斜視図である。
【００２２】
図６と図７に示すように、ファン２１を含むコンデンサーユニット２３と、コンプレッサ２２と、蒸発皿２６は、コンプレッサ台９９の上に搭載されている。コンデンサーユニット２３と、コンプレッサ２２、蒸発皿２６は、背面グリル２５により覆われている。
【００２３】
図７に示すように、露受け皿１００の構造例は、後で説明するが、底面部２０の下部には、露受け皿１００が配置されている。底面部２０では、内箱３０の底面４６と底板４７の間には、真空断熱材５０が配置されている。
【００２４】
図８（Ａ）は、図６のＤ−Ｄ線における露受け皿１００等の縦断面図であり、図８（Ｂ）は、図８（Ａ）の断面図から真空断熱材５０の図示を省いた縦断面図である。
【００２５】
図９（Ａ）は、図７と図８に示す露受け皿１００の好ましい形状例を示す斜視図である。
【００２６】
図９（Ａ）に示すように、露受け皿１００は、例えばほぼ平板状のプラスチック部材であり、上述したように、例えば「日」字状に形成された枠状の部材である。この露受け皿１００は、底面部２０の下部に配置されていることで、図４に例示する結露水Ｗを受けることができる。これにより、結露水Ｗが床に水滴として垂れて落ちることを防止することができる。露受け皿１００は、底面部２０の下部において、底面部２０と露受け皿１００との間に空気を通すために、底面部２０に対して隙間を設けるようにして配置されている。
【００２７】
図９（Ａ）に示すように、露受け皿１００は、貯水部１０１、１０２，１０３，１０４，１０５，１０６を有している。これらの貯水部１０１、１０２，１０３，１０４，１０５，１０６は、ほぼ断面Ｕ字型に形成されており、例えば図４に例示するように、結露水Ｗを受けて貯める。これにより、露受け皿１００は、結露水が床に水滴として垂れて落ちることを防止する。図９（Ａ）に示す露受け皿１００では、貯水部１０１、１０２，１０３，１０４，１０５，１０６で囲まれる内側の部分は、開口部１０７，１０８になっている。このような露受け皿１００の構造にすることで、露受け皿１００の軽量化が図れる。
【００２８】
ただし、図９（Ａ）と図８（Ａ）に示すように、開口部１０８の一部は、外側の空気をファン２１側に取り入れて、コンプレッサ２２を冷却するための空気の吸込口１０９になっている。また、露受け部１００は、四隅部分に取付け部１１０を有しており、露受け部１００は、図示しないネジを用いて図４に示す底面部２０側に固定できる。
【００２９】
また、図８（Ａ）に示すように、露受け部１００は、貯水部１０１、１０２，１０３，１０４，１０５，１０６を有しているが、冷蔵庫１のファン２１はこれらの貯水部０１、１０２，１０３，１０４，１０５，１０６から退避させた後側の位置に配置されている。これにより、ファン２１は、貯水部１０１、１０２，１０３，１０４，１０５，１０６に溜まった結露水から極力離すことができ、結露水の影響を防ぐことができる。
【００３０】
なお、図９（Ａ）に示す露受け皿１００は、開口部１０７，１０８を有しているが、図９（Ｂ）に示す露受け皿１００は、開口部ではなく閉鎖部１１７，１１８になっている。このようにすることで、露受け部１００の機械的な強度が増す。また、図９（Ｃ）に示す露受け皿１００Ａの例は、底面部２０の四隅位置に貯水部１２０を有している。
【００３１】
次に、図１０は、図２に示す冷蔵庫１の本体２のＡ−Ａ線における断面図である。図１１は、図３に示す冷蔵庫１の本体２のＢ−Ｂ線における断面図である。そして、図１２は、図３に示す冷蔵庫１の本体２のＣ−Ｃ線における断面図である。
【００３２】
図１０では、外箱３０の前板３０Ａと、露受け部１００の一部と、底面部２０の一部を示している。底面部２０の真空断熱板２０Ａは、底面部２０の外箱３０の底面板２０Ｂと、底面部２０の内箱４０の底面板２０Ｃの間に配置されている。外箱３０の前板３０Ａは、底面部２０の外箱３０の底面板２０Ｂに対して折り曲げによる結合部分２０Ｄにより結合されている。外箱の底面板２０Ｂと内箱の底面部２０Ｃとの間は、補強板２０Ｅにより補強されている。
【００３３】
図１０では、露受け部１００は、上述した結露水を受けて案内するための貯水部１０１が図示されているが、この露受け部１００と、外箱３０の前板３０Ａと底面部２０の外箱３０の底面板２０Ｂとの間には、本体２の外部から空気を取り入れるために隙間ＳＰが設けられている。この隙間ＳＰを設けることにより、ファン２１を動作させると、空気ＡＲが図８に示す矢印のように底面部２０の下側の空気の通り道を通過して、ファン２１側に通して供給できるようになっている。
【００３４】
図８に示すように、このファン２１により取入れた空気ＡＲは、図８に示すスリット壁２５Ｍから外部に放出されるようになっている。従って、このファン２１は、コンプレッサ２２を冷却する機能と、露受け皿１００に空気ＡＲを取り込んで露受け皿１００により受ける結露水を冷却するために空気ＡＲを対流させる機能を果たすことができる兼用機能を有するファンである。
【００３５】
図１１では、底面部２０と、右側の側面部２Ｂと、露受け皿１００の一部を示している。
【００３６】
側面部２Ｂの外箱３０の板材３３と、底面部２０の外箱３０の底面板２０Ｂとは、角部としてのコーナー部ＣＰにおいて、折り曲げることにより結合部６５を形成することで、結合されている。この結合部６５の内側には、断面Ｌ字型のアングル６０が固定されている。このコーナー部ＣＰのアングル６０の内側には、複数本の防露パイプ６１が配置されている。この防露パイプ６１は、熱を出すための放熱パイプである。このように防露パイプ６１が配置されていることにより、結合部６５のわずかな隙間を通じて冷蔵庫の外側から侵入してくる湿気を除去することができ、結露水の形成の抑制ができる。
【００３７】
図１２では、本体２の右側の側面部２Ｂと背面部２Ｄから成るコーナー部ＣＲを示している。このコーナー部ＣＲは、隣り合う真空断熱材の端部同士が突き合わされて形成されている空間部分である。
【００３８】
側面部２Ｂの外箱３０の板材３３と、背面部２Ｄの外箱３０の板材３２とは、コーナー部ＣＲにおいて、折り曲げることにより結合部７５を形成することで、結合されている。防露パイプ７１がコーナー部ＣＲの内側であって、結合部７５の付近に配置されている。このように防露パイプ７１が配置されていることにより、結合部７５のわずかな隙間を通じて、破線の矢印Ｇで示すように侵入してくる湿気を除去することができる。
【００３９】
また、側面部２Ｂと背面部２Ｄの内側であって、コーナー部ＣＲの角部分には、発泡スチロール等の成型品の断熱部材（以下、単にＥＰＳと称す）７７，７８が配置されている。この断熱部材７７の内部空間内と、コーナー部ＣＲの内部、もしくは少なくとも一方の内部には、サクションパイプ７９がそれぞれ配置されている。このようにサクションパイプ７９を空間に配置することで、スペースを有効に利用できる。なお、このサクションパイプ７９は、コンプレッサと冷却器をつないでおり、役目を終えた冷媒は、サクションパイプ７９を通り、コンプレッサへ戻って再び圧縮される。
【００４０】
次に、上述した構成の冷蔵庫１の作用を説明する。
【００４１】
冷蔵庫１が動作すると、図５に示す本体２のコーナー部ＣＲ、ＨＳにおいて結露が生じる。図１２に示すように、コーナー部ＣＲでは、真空断熱材５０同士が突き合わせられてはいるが、真空断熱材５０が無い空間部分が生じている。このコーナー部ＣＲの空間部分では、例えば図４に例示するように、結露が生じて結露水Ｗとして破線で示す矢印に沿って本体２に沿ってコーナー部ＣＲ内を落下するが、この結露水Ｗは、露受け部１００により受けることができる。これにより、真空断熱材５０同士の隙間を覆うシール性が不完全で結露水Ｗが生じて本体２を伝って落下としても、この結露水Ｗが床に水滴として垂れて落ちることを防止することができる。
【００４２】
例えば、図１０では、冷蔵庫１の前側で結露水Ｗが落下しても、露受け部１００の貯水部１０１により受けることができる。また、図４において、結露水Ｗが、後側のコーナー部内を落下しても、結露水Ｗは、露受け部１００の貯水部１０５，１０６により受けることができる。そして、受けた結露水Ｗは、貯水部１０１、１０２，１０３，１０４，１０５，１０６にためる溜め部としての機能を果たし、ファン２１の動作により図８に示すように空気ＡＲを露受け部１００の上に通すことにより、冷蔵庫１の底面部２０の付近の湿気の滞留を防ぐことができる。
【００４３】
（第２実施形態）
図１３から図１５は、本発明の冷蔵庫の第２実施形態を示している。
【００４４】
図１３は、本発明の第２実施形態の冷蔵庫１Ｓの底面部付近を示す斜視図であり、図１４は、図１３に示す冷蔵庫１Ｓの底面部付近の分解斜視図である。図１５（Ａ）は、本発明の第２実施形態を示しており、図１３のＥ−Ｅ線における露受け皿１００Ｂ等の構成例を示している。図１５（Ｂ）は、図１５（Ａ）の縦断面から一部の真空断熱材等を除いた縦断面図である。
【００４５】
図１４に示すように、ファン２１Ｈと蒸発皿２６は、背面グリル２５Ｒと一体になっている。この冷蔵庫１Ｓは、コンプレッサ２２が本体２の上部に配置されて下部に配置されていない、いわゆるトップコンプレッサ配置型の冷蔵庫である。底面部２０Ｓの下部には、露受け皿１００Ｂが配置されている。
【００４６】
図１５（Ａ）に示すように、冷蔵庫１Ｓでは、本体２の底面部２０Ｓは、真空断熱材５０と、ＥＰＳ８０が配置されている。最も下の冷凍室１０の引出し式扉１０ａ内にも、真空断熱材５０が配置されている。
【００４７】
図１５（Ａ）に示す露受け皿１００Ｂと底面部２０Ｓの間には、隙間ＳＴが設けられている。このため、ファン２１Ｈを動作させることにより、外部の空気ＡＲは、隙間ＳＴを通じて露受け皿１００Ｂと底面部２０Ｓの間を通って、ファン２１側に供給できるようになっている。このファン２１Ｈにより取入れた空気ＡＲは、スリット壁２５Ｍから外部に放出される。従って、このファン２１Ｈは、コンプレッサ２２を冷却する役割は無く、露受け皿１００に空気ＡＲを取り込んで露受け皿１００の上に空気ＡＲを通すための専用機能ファンである。
【００４８】
しかも、図１５（Ａ）と図１４に示すように、露受け皿１００Ｂと底面部２０Ｓの間には、防露パイプ８５が配置されている。このように防露パイプ８５が配置されていることにより、露受け皿１００Ｂと底面部２０Ｓの隙間ＳＴを通じて侵入してくる湿気を除去することができる。また、図１５（Ａ）に示すように、露受け皿１００Ｂの底部の凹部８８にも、防露パイプ８６が配置されている。これにより、露受け皿１００Ｂの温度を上げることで、露受け皿１００Ｂと底面部２０Ｓの隙間ＳＴを通じて侵入してくる湿気をより効率良く除去することができる。
【００４９】
本発明の実施形態の冷蔵庫１は、複数の板材を結合することで結合部が形成され、複数の板材の間に真空断熱材が配置されている冷蔵庫であって、本体の内部の真空断熱材が配置されていない箇所の下方には、板材の結合部に生じる結露水を溜めるための溜め部としての露受け部が設けられている。これにより、真空断熱材同士の隙間を覆うシール性が不完全で結露水が生じたとしても、この結露水が床に水滴として垂れて落ちることを防止することができる。
【００５０】
この結合部は、本体のコーナー部の空間にある。これにより、真空断熱材同士が突き当てられることで形成されるコーナー部において、冷蔵庫１の外側から結合部のわずかな隙間を通じて湿気が侵入して結露水が生じたとしても、この結露水は、下方に設けられている露受け部で確実に受けることができるので、結露水が床に水滴として垂れて落ちることを防止できる。
【００５１】
本体を構成する複数の板材で作られている外箱は、組立式の構造体である。これにより、複数の板材を組み立てて結合部が形成されて板材同士の隙間から湿気が侵入しても、この結露水は、下方に設けられている露受け部で確実に受けることができるので、結露水が床に水滴として垂れて落ちることを防止できる。
【００５２】
コーナー部の空間を含める本体の壁面の内部には、発泡ポリウレタンが配置されていない構造である。これにより、真空断熱材同士が突き当てられることで形成されるコーナー部には、発泡ポリウレタンが配置されていない場合であっても、結露水は、下方に設けられている露受け部で確実に受けることができるので、結露水が床に水滴として垂れて落ちることを防止できる。
【００５３】
コーナー部の空間には、サクションパイプが配置されている。これにより、サクションパイプの配置が、コーナー部の空間を有効に利用して行える。
【００５４】
本体を構成する外箱の内側にある内箱は、分割体である複数の内板で構成されている。これにより、内箱は、複数の内板により容易に作ることができる。
【００５５】
コーナー部の空間内は、防露パイプが配置されている。これにより、防露パイプの熱は、コーナー部の空間内に生じる結露水の発生を抑制することができることから、露受け部に溜まる結露水の量を減らすことができる。
【００５６】
露受け部は、枠状になっている。これにより、結露水を受ける必要がある部位に結露水を導くことができ、露受け部の軽量化が図れる。
【００５７】
露受け部は、貯水部を有し、冷蔵庫のファンは貯水部から退避させた位置に配置されている。これにより、ファンは、貯水部の溜まった結露水から離すことができ、結露水の影響を防ぐことができる。
【００５８】
露受け部と、本体の底面部との間には、隙間が設けられている。これにより、ファンを回すことで、露受け部と本体の底面部の間に空気を自然対流で流すことができるので、湿気を冷蔵庫の外部に放出して、冷蔵庫の底面部において湿気を防ぐことができる。
【００５９】
露受け部の上部に空気を流すことと、冷蔵庫に配置されているコンプレッサの冷却のための兼用のファンを備える。これにより、この兼用のファンを回すことにより、露受け皿には空気を強制対流させることで、湿気を冷蔵庫の外部に放出して冷蔵庫の底面部において湿気を防ぐことができるとともに、コンプレッサを冷却できる。
【００６０】
露受け部は、コンプレッサを冷却するための空気の吸込口を有している。これにより、コンプレッサに冷却用の空気を露受け部の空気の吸込口を通じて供給できる。
【００６１】
露受け部には、熱源（例えば防露パイプ８５，８６）が配置されている。これにより、露受け部は、熱源の発熱により、冷蔵庫の底面部における湿気を抑制することができる。
【００６２】
露受け部の上部に空気を流すための専用ファンが冷蔵庫の底面部に配置され、コンプレッサは冷蔵庫の上部に配置されている。これにより、コンプレッサが冷蔵庫の上部に配置されている冷蔵庫の形式であっても、露受け部は、適用できる。
【００６３】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６４】
図１に示す冷蔵庫１の構造は、一例であり、任意の構造を採用することができる。露受け皿としては、例えば冷蔵庫１のコーナー部にそれぞれ個々に独立している結露水を受ける貯水部を設けて、各貯水部は、連続気泡を有する連通テープを用いて結露水を移動させるようにしても良い。
【符号の説明】
【００６５】
１      冷蔵庫
２      本体
２１      ファン
２２      コンプレッサ
３０      外箱
４０      内箱
５０      真空断熱材
７５      結合部
１００    露受け皿
１０１〜１０６  貯水部
ＡＲ      空気
【図１】
2015007499.tif 000003
【図２】
2015007499.tif 000004
【図３】
2015007499.tif 000005
【図４】
2015007499.tif 000006
【図５】
2015007499.tif 000007
【図６】
2015007499.tif 000008
【図７】
2015007499.tif 000009
【図８】
2015007499.tif 000010
【図９】
2015007499.tif 000011
【図１０】
2015007499.tif 000012
【図１１】
2015007499.tif 000013
【図１２】
2015007499.tif 000014
【図１３】
2015007499.tif 000015
【図１４】
2015007499.tif 000016
【図１５】
2015007499.tif 000017